(57)【要約】【課題】地下タンク内の燃料油の平均在庫単価を容易に把握する。【解決手段】給油所管理システム１は、地下タンク２０に貯留された燃料油の在庫及び販売を管理する液量管理装置３０を備え、この液量管理装置３０は、地下タンク２０に貯留された荷卸し前の燃料油の在庫量及び平均在庫単価と、燃料油を荷卸しした際の荷卸量及び仕入単価とに基づき、地下タンクに貯留される燃料油全体としての平均在庫単価を演算する平均在庫単価演算手段と、演算された平均在庫単価を表示する表示器３４とを有する。また、液量管理装置３０は、演算された平均在庫単価に基づき推奨販売単価を演算する推奨販売単価演算手段をさらに有し、表示器３４は、演算された推奨販売単価を表示する。【選択図】図１
2016126393.tif 000002
【特許請求の範囲】
【請求項１】
地下タンクに貯留された燃料油の在庫及び販売を管理する給油所管理システムであって、
前記地下タンクに貯留された荷卸し前の燃料油の在庫量及び平均在庫単価と、燃料油を荷卸しした際の荷卸量及び仕入単価とに基づき、前記地下タンクに貯留される燃料油全体としての平均在庫単価を演算する平均在庫単価演算手段と、
前記演算された平均在庫単価を表示する表示手段とを有する液量管理装置を備えることを特徴とする給油所管理システム。
【請求項２】
前記液量管理装置は、前記演算された平均在庫単価に基づき、推奨販売単価を演算する推奨販売単価演算手段をさらに有し、
前記表示手段は、前記演算された推奨販売単価を表示することを特徴とする請求項１に記載の給油所管理システム。
【請求項３】
前記液量管理装置は、前記燃料油の販売単価が設定可能とされ、
前記販売単価は、非給油中に設定されることを特徴とする請求項１又は２に記載の給油所管理システム。
【請求項４】
複数の給油所機器と該給油所機器に接続される給油所用販売装置とに接続され、前記複数の給油所機器を集中監視する集中監視装置と、
前記集中監視装置を介して前記液量管理装置から受け取った情報に基づき、前記平均在庫単価を演算する平均在庫単価演算手段を有する集中監視サーバとをさらに備えることを特徴とする請求項１、２又は３に記載の給油所管理システム。
【請求項５】
前記集中監視サーバは、前記演算された平均在庫単価に基づき、推奨販売単価を演算する推奨販売単価演算手段をさらに有することを特徴とする請求項４に記載の給油所管理システム。
【発明の詳細な説明】
【技術分野】
【０００１】
本発明は、販売管理や在庫管理を容易に行うことが可能な給油所管理システムに関する。
【背景技術】
【０００２】
給油所は、複数の油種に対応した給油機構を収納した１台又は複数台の計量機と、これらの給油装置に接続されたＰＯＳ等の給油所用販売装置（ＰＯＳ（Point Of Sale system）端末）とで構成され、ＰＯＳによって販売管理が行われている。
【０００３】
また、給油管の一端が計量機に接続されると共に他端がガソリン等の燃料油を貯留する地下タンクに配設されており、地下タンクの在庫管理は、地下タンクに設けられた液面計からの出力に基づいて、地下タンク内の液量を管理する液量管理装置によって行われている。
【０００４】
このように、従来、給油所における販売管理及び在庫管理は、各々が異なる装置によって行われている（例えば、特許文献１）。このような給油所において、購入したガソリン等の燃料油はローリから地下タンクに荷卸しされ、車両に対して燃料油を供給する際には、地下タンクから計量機を介して行われる。
【先行技術文献】
【特許文献】
【０００５】
【特許文献１】特開２０００−２４９５８９号公報
【発明の概要】
【発明が解決しようとする課題】
【０００６】
ところで、給油所においては、燃料油の仕入単価に基づき、利益を考慮した上で販売単価を設定するが、燃料油の荷卸しは、一般に、所定の日時や残油量が所定量以下になった時点等、地下タンクが空になるタイミングで行われるものではない。また、燃料油の仕入単価は、原油価格の変動に伴って荷卸し毎に異なる。
【０００７】
そのため、地下タンクに貯留される燃料油全体としての仕入単価が変動する。例えば、容量が２０ｋＬの地下タンクに対して２０ｋＬの燃料油を仕入単価１４０円／Ｌで荷卸し、残油量が４ｋＬとなった時点で１６ｋＬの燃料油を仕入単価１４５円／Ｌで荷卸しすると、地下タンクに貯留された燃料油全体としての仕入単価が変動する。
【０００８】
このように、仕入単価が異なる燃料油が地下タンクに貯留されると、地下タンク内の燃料油全体としての仕入単価が不明確となる。そして、このような状態で近隣の給油所と価格競争を行って販売単価を設定すると、給油所としての利益を確保できなくなる虞があるという問題があった。
【０００９】
そこで、本発明は、上記従来の技術における問題点に鑑みてなされたものであって、地下タンク内の燃料油の平均在庫単価を容易に把握し、給油所の経営に役立てることが可能な給油所管理システムを提供することを目的とする。
【課題を解決するための手段】
【００１０】
上記目的を達成するため、本発明は、地下タンクに貯留された燃料油の在庫及び販売を管理する給油所管理システムであって、前記地下タンクに貯留された荷卸し前の燃料油の在庫量及び平均在庫単価と、燃料油を荷卸しした際の荷卸量及び仕入単価とに基づき、前記地下タンクに貯留される燃料油全体としての平均在庫単価を演算する平均在庫単価演算手段と、前記演算された平均在庫単価を表示する表示手段とを有する液量管理装置を備えることを特徴とする。
【００１１】
そして、本発明によれば、荷卸し前の燃料油の在庫量及び平均在庫単価と、燃料油を荷卸しした際の荷卸量及び仕入単価とに基づき、地下タンクに貯留された燃料油全体としての平均在庫単価を演算するため、仕入単価の異なる燃料油が地下タンクに混在して貯留された場合であっても、地下タンク内の燃料油の平均在庫単価を容易に把握し、給油所の経営に役立てることができる。
【００１２】
上記給油所管理システムにおいて、前記液量管理装置は、前記演算された平均在庫単価に基づき、推奨販売単価を演算する推奨販売単価演算手段をさらに有し、前記表示手段は、前記演算された推奨販売単価を表示することができる。これにより、給油所としての利益等を考慮した推奨販売単価を容易に把握することができる。
【００１３】
上記給油所管理システムにおいて、前記液量管理装置は、前記燃料油の販売単価が設定可能とされ、前記販売単価を非給油中に設定することができる。これにより、販売単価の変更による混乱等を防ぐことができる。
【００１４】
上記給油所管理システムにおいて、複数の給油所機器と該給油所機器に接続される給油所用販売装置とに接続され、前記複数の給油所機器を集中監視する集中監視装置と、前記集中監視装置を介して前記液量管理装置から受け取った情報に基づき、前記平均在庫単価を演算する平均在庫単価演算手段を有する集中監視サーバとをさらに備えることができる。これにより、上記の液量管理装置で行う各種の処理及び管理と同様の処理及び管理を、集中監視サーバで行うことができる。
【００１５】
上記給油所管理システムにおいて、前記集中監視サーバは、前記演算された平均在庫単価に基づき、推奨販売単価を演算する推奨販売単価演算手段をさらに有することができる。
【発明の効果】
【００１６】
以上のように、本発明によれば、地下タンク内の平均在庫単価を容易に把握し、給油所の経営に役立てることが可能になる。
【図面の簡単な説明】
【００１７】
【図１】本発明に係る給油所管理システムの第１の実施形態を示す全体図である。
【図２】図１に示す給油所管理システムの詳細を示すブロック図である。
【図３】液量管理装置における表示画面について説明するための概略図である。
【図４】液量管理装置における平均在庫単価及び推奨販売単価の算出処理について説明するためのフローチャートである。
【図５】給油所用販売装置における販売単価の更新処理について説明するためのフローチャートである。
【図６】本発明に係る給油所管理システムの第２の実施形態を示す全体図である。
【図７】図６に示す給油所管理システムの詳細を示すブロック図である。
【発明を実施するための形態】
【００１８】
次に、本発明を実施するための形態について、図面を参照しながら詳細に説明する。
【００１９】
図１は、本発明に係る給油所管理システムの第１の実施形態を示し、この給油所管理システム１は、大別して、給油所に設置される１つ又は複数の計量機１０（１０Ａ、１０Ｂ、１０Ｃ）と、液量管理装置３０とからなる各給油所機器と、ＰＯＳ等から構成される給油所用販売装置（ＰＯＳ端末）４０と、１つ又は複数の地下タンク２０（２０Ａ、２０Ｂ、２０Ｃ）と、給油所用販売装置４０とインターネット等のネットワークを介して接続される本部５０とで構成される。
【００２０】
尚、計量機１０Ａ〜１０Ｃについては、同一の構成及び機能を有するため、以下の説明において特に区別する必要がない場合には、単に計量機１０と称する。また、地下タンク２０Ａ〜２０Ｃについても同様に、特に区別する必要がない場合には、単に地下タンク２０と称する。
【００２１】
図１及び図２に示すように、計量機１０は、燃料油を供給するための給油所機器の一つであり、給油ノズルの掛け外しを検出するノズルスイッチ１２と、給油量を計数するための流量計に設けられパルス発振器１３と、給油ポンプ１４や表示器１５等の給油機構を制御すると共に、給油情報を記憶したり点検報知等の制御を行う給油制御手段を有する給油制御装置１１とで構成される。尚、図２においては、説明が煩雑となるのを防ぐため、１つの計量機１０のみを図示する。
【００２２】
液量管理装置３０は、燃料油を貯留する地下タンク２０Ａ〜２０Ｃに設けられた液面計２１（２１Ａ、２１Ｂ、２１Ｃ）からの情報に基づき、各地下タンク２０の液面を検知する液位センサ３２と、データ入力のための入力手段３３と、検知データや各地下タンク２０内の燃料油についての平均在庫単価や推奨販売単価、各種の操作画面等を表示するための表示器３４と、伝票を印字するプリンタ３５と、これらを制御するとともに、地下タンク２０の仕様、液量、変化量を記憶したり、平均在庫単価や推奨販売単価を演算する制御を行う液量管理制御装置３１とで構成される。
【００２３】
液量管理制御装置３１は、地下タンク２０の油種及び量を記憶するタンク情報記憶手段と、地下タンク２０毎の容量、直径、胴長、鏡形状等のタンク仕様を記憶するタンクテーブルと、液位センサ３２からの液面の検知結果を示す液位信号をタンクテーブルに基づいて液量に変換する液位−液量変換手段と、各地下タンク２０毎に荷卸し後の平均在庫単価を演算する平均在庫単価演算手段と、平均在庫単価演算手段により演算された平均在庫単価に基づき、推奨販売単価を演算する推奨販売単価演算手段と、各地下タンク２０の液面計２１からの出力に基づく在庫量、荷卸量、及び販売量を含む地下タンク情報や、平均在庫単価、販売単価等の給油販売や在庫に係る情報を記憶する給油販売・在庫データ記憶手段とで構成される。
【００２４】
ここで、平均在庫単価は、地下タンク２０毎に貯留された燃料油の単価の平均値を示すものである。この平均在庫単価は、燃料油の荷卸しの際の荷卸量及び仕入単価に基づいて算出され、具体的には、荷卸し直前の平均在庫単価及び在庫量と、当該荷卸しの際の荷卸量及び仕入単価とに基づき、各地下タンク２０毎に算出される。
【００２５】
所定の地下タンク２０における荷卸し直前の在庫量をＡ［Ｌ］、平均在庫単価をＢ［円／Ｌ］とし、荷卸しの際の荷卸量をＣ［Ｌ］、仕入単価をＤ［円／Ｌ］とした場合、この地下タンク２０における燃料油の平均在庫単価Ｅ［円／Ｌ］は、式（１）に基づき算出される。
平均在庫単価Ｅ［円／Ｌ］＝（Ａ×Ｂ＋Ｃ×Ｄ）／（Ａ＋Ｃ）  ・・・（１）
【００２６】
また、推奨販売単価は、算出された地下タンク２０毎の平均在庫単価に基づき、給油所における利益等を考慮して設定される燃料油の販売単価である。この推奨販売単価は、例えば、算出された平均在庫単価に対して利益等を考慮した所定の単価を加算したものであり、加算される単価をα［円／Ｌ］とした場合、推奨販売単価Ｆ［円／Ｌ］は、式（２）に基づき算出される。
推奨販売単価Ｆ［円／Ｌ］＝平均在庫単価Ｅ＋α  ・・・（２）
【００２７】
尚、推奨販売単価は、式（２）に基づき算出する方法に限られず、例えば、荷卸し前の平均在庫単価と荷卸し後の平均在庫単価との差を、荷卸し前の実際の販売単価に差し引きすることによって算出してもよい。
【００２８】
また、推奨販売単価は、例えば、本部５０からの指示によって設定してもよいし、液量管理装置３０や事務所のＰＣ（Personal Computer）等の端末を操作して手動で設定してもよい。さらに、給油所によっては、同油種の地下タンク２０が複数設置されている場合が考えられるが、この場合には、例えば複数の地下タンク２０に設定された推奨販売単価の平均値や最高値を推奨販売単価として設定してもよい。
【００２９】
給油所用販売装置４０は、クレジットカード等を読み取るカードリーダ４２と、データ入力のための入力手段４３と、伝票を印字するプリンタ４４と、入力データや各給油所機器から送信されるデータ等を表示するための表示器４５と、これらを制御すると共に、各給油所機器の異常や、保守に必要な機器状況に関する情報を記憶したり、各種の報知を行うＰＯＳ制御装置４１とで構成される。
【００３０】
ＰＯＳ制御装置４１は、油種毎の販売量や平均在庫単価、販売単価等の給油販売に係る情報を更新して記憶する給油販売データ記憶手段と、各部を制御するためのＰＯＳ制御手段とを有する。尚、ＰＯＳ制御装置４１は、販売単価の更新を非給油中に行う。また、ＰＯＳ制御装置４１は、液量管理制御装置３１で行う在庫管理の機能と同様の機能を備えてもよい。
【００３１】
次に、液量管理装置３０の表示器３４に表示される画面について、図３を参照して説明する。液量管理装置３０では、各種の設定を行うための操作ボタン等が表示器３４に表示され、操作者が入力手段３３を操作することにより、各地下タンク２０毎の推奨販売単価等を設定することができる。
【００３２】
まず、表示器３４には、図３（ａ）に示す初期画面が表示される。この初期画面には、例えば、所定の地下タンク２０に貯留される燃料油の油種や、当該地下タンク２０の容量及び在庫率、演算によって得られた現在の平均在庫単価及び推奨販売単価、当該地下タンク２０の容量及び在庫率を視覚的に確認可能な画像等が表示される。さらに、初期画面には、表示する地下タンク２０を変更するためのタンク移動ボタンや、各種設定を行うためのメニューボタンが表示される。
【００３３】
図３（ａ）に示す初期画面において、メニューボタンが選択されると表示が遷移し、表示器３４には、図３（ｂ）に示すようなメニュー画面が表示される。この初期画面には、例えば、現在の日付や時刻を設定する日時設定ボタンや、給油所の名称を設定する名称設定ボタン、各地下タンク２０毎に貯留されている燃料油についての名称を設定する油種名称ボタン、各地下タンク２０内の燃料油に対する推奨販売単価を設定するための単価設定ボタン、表示画面を図３（ａ）の初期画面に戻すための「戻る」ボタン等が表示される。
【００３４】
図３（ｂ）に示すメニュー画面において、単価設定ボタンが選択されると表示が遷移し、表示器３４には、図３（ｃ）に示すようなタンク選択画面が表示される。このタンク選択画面は、推奨販売単価を設定する地下タンク２０を選択するための画面であり、例えば、給油所に設置された地下タンク２０の一覧が表示されると共に、表示画面を図３（ｂ）のメニュー画面に遷移させるためのメニューボタンが表示される。この例では、給油所に設置されたタンク＃１〜タンク＃１０を示すボタンが一覧として表示される。
【００３５】
例えば、一覧の中からタンク＃１を示すボタンが選択されると表示が遷移し、表示器３４には、図３（ｄ）に示すタンク＃１の販売単価を設定するための単価設定画面が表示される。この単価設定画面には、例えば、荷卸量を設定する荷卸量設定ボタンやその際の仕入単価を設定する仕入単価設定ボタン、販売単価を設定する販売単価設定ボタン、設定内容を確認するための設定内容確認ボタン、過去の荷卸し時点での推奨販売単価・実際の販売単価・平均在庫単価等をグラフによって表示する単価グラフボタン等が表示されると共に、表示画面を前画面（図３（ｃ）の画面）に戻すための「戻る」ボタン、図３（ｂ）のメニュー画面に遷移させるためのメニューボタンが表示される。
【００３６】
図３（ｄ）に示す単価設定画面において、荷卸量設定ボタン及び仕入単価設定ボタンが選択され、荷卸量及び仕入単価が入力されると、これらの入力された情報に基づき現在の平均在庫単価及び推奨販売単価が演算される。
【００３７】
また、この単価設定画面において、設定内容確認ボタンが選択されると表示が遷移し、表示器３４には、図３（ｅ）に示すような設定内容確認画面が表示される。この設定内容確認画面は、所定の地下タンク２０に関する各種の情報を表示するための画面であり、例えば、当該地下タンク２０の容量や現在の在庫量、貯留された燃料油の油種、荷卸し前の在庫量・平均在庫単価、荷卸量・仕入単価、荷卸し後の平均在庫単価・推奨販売単価、現在の販売単価等が表示される。また、この設定内容確認画面には、例えば、表示画面を前画面（図３（ｄ）の画面）に戻すための「戻る」ボタンが表示される。
【００３８】
さらに、この単価設定画面において、販売単価設定ボタンが選択され、実際の販売単価が操作者によって入力されることにより、販売単価を設定することができる。尚、この販売単価の設定は、非給油中に行うことが好ましい。これは、給油中に販売単価が変更されることによる混乱等を防ぐためである。
【００３９】
さらにまた、この単価設定画面において、単価グラフボタンが選択されると表示が遷移し、表示器３４には、図３（ｆ）に示すような単価グラフ確認画面が表示される。この単価グラフ確認画面は、例えば、所定期間（１月〜１２月）における平均在庫単価、推奨販売単価及び実際の販売単価が折れ線グラフ等で表示される。これにより、例えば、各単価の変動を確認できると共に、仕入単価の価格差や利益率等を単価の変動から考察することができる。また、この単価グラフ確認画面には、例えば、表示画面を前画面（図３（ｄ）の画面）に戻すための「戻る」ボタンが表示される。
【００４０】
このようにして、単価設定画面において演算された平均在庫単価及び推奨販売単価、並びに設定された販売単価は、初期画面（図３（ａ））、設定内容確認画面（図３（ｅ））及び単価グラフ確認画面（図３（ｆ））を表示させた際に、各々の画面の表示に反映される。
【００４１】
次に、上記構成を有する給油所管理システム１の動作について、図３に示す液量管理装置３０の表示画面、図４及び図５に示すフローチャートを参照して説明する。
【００４２】
まず、液量管理装置３０における平均在庫単価及び推奨販売単価の算出処理について、図３及び図４を参照して説明する。この処理は、所定の地下タンク２０に対する荷卸しが終了した後に行われるものとする。
【００４３】
ステップＳ１において、液量管理装置３０の液量管理制御装置３１は、操作者による入力手段３３に対する操作により、所定の地下タンク２０についてのタンクデータが設定されたか否かを判断する。タンクデータが設定されたと判断した場合（ステップＳ１；Ｙｅｓ）、液量管理制御装置３１は、表示器３４に対して初期画面（図３（ａ））を表示する。そして、操作者の操作に基づきメニューボタンが選択されてメニュー画面（図３（ｂ））を表示すると共に、単価設定ボタンが選択されることにより、単価設定を行う地下タンク２０を選択するためのタンク選択画面（図３（ｃ））を表示する（ステップＳ２）。
【００４４】
一方、タンクデータが設定されていないと判断した場合（ステップＳ１；Ｎｏ）には、処理がステップＳ１に戻り、タンクデータが設定されるまで、ステップＳ１の処理を繰り返す。
【００４５】
次に、ステップＳ２において操作者の操作によって所定の地下タンク２０が選択されると、液量管理制御装置３１は、表示器３４に対して販売単価を設定するための単価設定画面（図３（ｄ））を表示する。そして、液量管理制御装置３１は、操作者によって入力された荷卸量及び仕入単価を設定する（ステップＳ３）。
【００４６】
次に、液量管理制御装置３１は、ステップＳ３で設定された荷卸量及び仕入単価と、荷卸し前の在庫量及び平均在庫単価とに基づき、上述した式（１）を用いて荷卸し後の平均在庫単価を演算する（ステップＳ４）。そして、液量管理制御装置３１は、表示器３４に初期画面（図３（ａ））、設定内容確認画面（図３（ｅ））及び単価グラフ確認画面（図３（ｆ））を表示させた際に、平均在庫単価の演算結果を反映させる（ステップＳ５）。
【００４７】
また、ステップＳ６において、液量管理制御装置３１は、ステップＳ４で演算された平均在庫単価に基づき、上述した式（２）を用いて推奨販売単価を演算する。そして、液量管理制御装置３１は、表示器３４に初期画面（図３（ａ））、設定内容確認画面（図３（ｅ））及び単価グラフ確認画面（図３（ｆ））を表示させた際に、推奨販売単価の演算結果を反映させる（ステップＳ７）。
【００４８】
次に、ステップＳ８において、液量管理制御装置３１は、推奨販売単価が更新されたか否かを判断する。推奨販売単価が更新されたと判断した場合（ステップＳ８；Ｙｅｓ）、液量管理制御装置３１は、更新された推奨販売単価に基づき操作者によって設定された実際の販売単価を更新すると共に、更新した販売単価を示す情報を給油所用販売装置４０に対して出力する（ステップＳ９）。
【００４９】
一方、推奨販売単価が更新されていないと判断した場合（ステップＳ８；Ｎｏ）には、一連の処理が終了する。
【００５０】
次に、給油所用販売装置４０における販売単価の更新処理について、図５を参照して説明する。
【００５１】
ステップＳ１１において、給油所用販売装置４０のＰＯＳ制御装置４１は、液量管理装置３０から販売単価を示す情報が入力されたか否かを判断する。販売単価を示す情報が入力されたと判断した場合（ステップＳ１１；Ｙｅｓ）、ＰＯＳ制御装置４１は、販売単価を示す情報に対応する油種が給油中であるか否かを判断する（ステップＳ１２）。
【００５２】
一方、ステップＳ１１において、販売単価を示す情報が入力されていないと判断した場合（ステップＳ１１；Ｎｏ）には、処理がステップＳ１１に戻り、販売単価を示す情報が入力されるまでステップＳ１１の処理を繰り返す。
【００５３】
ステップＳ１２において、当該油種が給油中でないと判断した場合（ステップＳ１２；Ｙｅｓ）、ＰＯＳ制御装置４１は、液量管理装置３０から入力された販売単価に基づき、現在の販売単価を更新する（ステップＳ１３）。
【００５４】
一方、ステップＳ１２において、当該油種が給油中であると判断した場合（ステップＳ１２；Ｎｏ）、ＰＯＳ制御装置４１は、当該油種の給油が終了したか否かを判断する（ステップＳ１４）。
【００５５】
給油が終了したと判断した場合（ステップＳ１４；Ｙｅｓ）には、処理がステップＳ１３に移行し、給油が終了していないと判断した場合（ステップＳ１４；Ｎｏ）には、処理がステップＳ１４に戻り、給油が終了するまでステップＳ１４の処理を繰り返す。
【００５６】
以上のように、第１の実施形態によれば、荷卸し前の在庫量及び平均在庫単価と、荷卸量及び仕入単価とに基づき、現在の平均在庫単価を算出すると共に、算出した現在の平均在庫単価に基づき推奨販売単価を算出して表示するため、地下タンク内の平均在庫単価を容易に把握することができると共に、給油所の利益を考慮した販売単価を容易に設定することができる。
【００５７】
次に、本発明の第２の実施形態について説明する。この第２の実施形態では、図１に示す第１の実施形態による給油所管理システムに対して、各給油所機器等を集中監視する集中監視装置、集中監視サーバ及び端末（ＰＣ）を配置した。尚、以下の説明において、上述した第１の実施形態と共通する部分には同一の符号を付し、詳細な説明を省略する。
【００５８】
図６は、本発明に係る給油所管理システムの第２の実施形態を示し、この給油所管理システム１００は、大別して、給油所に設置される１つ又は複数の計量機１０（１０Ａ、１０Ｂ、１０Ｃ）と、液量管理装置３０とからなる各給油所機器と、ＰＯＳ等から構成される給油所用販売装置（ＰＯＳ端末）４０と、１つ又は複数の地下タンク２０（２０Ａ、２０Ｂ、２０Ｃ）と、給油所用販売装置４０とインターネット等のネットワークを介して接続される本部５０と、各給油所機器と給油所用販売装置４０との間に配置され、両者とデータ送受信可能に接続される集中監視装置６０と、集中監視装置６０とネットワークを介して接続される集中監視サーバ（以下「サーバ」という。）７０と、サーバ７０とネットワークを介して接続されるＰＣ８０とで構成される。
【００５９】
図６及び図７に示すように、集中監視装置６０は、給油所管理システム１００に設けられた各機器を集中監視するために設けられ、各給油所機器、給油所用販売装置４０及びサーバ７０とデータ通信可能に接続される通信制御手段を有する。
【００６０】
通信制御手段は、例えば、液量管理制御装置３１に記憶されたタンク情報や平均在庫単価及び推奨販売単価を演算するための燃料油に関する情報（例えば、荷卸量や仕入単価）等の各種情報をサーバ７０に対して送信する。
【００６１】
サーバ７０は、集中監視装置６０及びＰＣ８０とデータ送受信可能に接続される通信制御手段と、通信制御手段からの情報に基づき、液量管理制御装置３１と同様の情報を記憶するタンク情報記憶手段及び給油販売・在庫データ記憶手段とで構成される。これらタンク情報記憶手段及び給油販売・在庫データ記憶手段に記憶される情報は、通信制御手段を介して液量管理装置３０から受け取った情報に基づき更新される。
【００６２】
ＰＣ８０は、例えば、サーバ７０に記憶された各種の情報や、給油所の状況等を確認することが可能なように設けられる。
【００６３】
以上のように、第２の実施形態によれば、第１の実施形態と同様に、地下タンク内の平均在庫単価を容易に把握することができると共に、給油所の利益を考慮した販売単価を容易に設定することができる。また、集中監視装置、集中監視サーバ及びＰＣを設けることにより、液量管理装置で管理する情報と同様の情報を集中監視サーバで管理することができる。
【符号の説明】
【００６４】
１、１００  給油所管理システム
１０（１０Ａ、１０Ｂ、１０Ｃ）  計量機
１１  給油制御装置
１２  ノズルスイッチ
１３  パルス発信器
１４  給油ポンプ
１５  表示器
２０（２０Ａ、２０Ｂ、２０Ｃ）  地下タンク
２１（２１Ａ、２１Ｂ、２１Ｃ）  液面計
３０  液量管理装置
３１  液量管理制御装置
３２  液位センサ
３３  入力手段
３４  表示器
３５  プリンタ
４０  給油所用販売装置
４１  ＰＯＳ制御装置
４２  カードリーダ
４３  入力手段
４４  プリンタ
４５  表示器
５０  本部
６０  集中監視装置
７０  集中監視サーバ
８０  ＰＣ
【図１】
2016126393.tif 000003
【図２】
2016126393.tif 000004
【図３】
2016126393.tif 000005
【図４】
2016126393.tif 000006
【図５】
2016126393.tif 000007
【図６】
2016126393.tif 000008
【図７】
2016126393.tif 000009